(57)【特許請求の範囲】
【請求項１】
水平面内において所定間隔を置いて平行に対向配置される一対の送り軸（４１，４３）に、チューブ（４５）の端部を案内するチューブ案内溝（４１ａ，４３ａ）を螺旋状に形成するとともに、前記チューブ案内溝（４１ａ，４３ａ）の間にコルゲートフィン（４７）の端部を案内するフィン案内部（４１ｂ，４３ｂ）を螺旋状に形成してなる熱交換器コアの仮組装置において、
連続した状態で供給されるコルゲートフィン（４７）を前記一方の送り軸（４３）の側方上方からフィン供給部（５３）の入口側に案内する案内手段（５５）と、
前記コルゲートフィン（４７）を前記一対の送り軸（４１，４３）の間に搬送する搬送手段（６１）と、
前記搬送手段（６１）により搬送されるコルゲートフィン（４７）のピッチ数を計数する計数手段（６３）と、
前記フィン供給部（５３）の入口側において前記フィン供給部（５３）に連続した状態で供給された前記コルゲートフィン（４７）を切断する切断手段（６５，６７）と、
前記計数手段（６３）で計数されるピッチ数を入力し、ピッチ数が予め定められた値になった時に前記切断手段（６５）を作動する制御装置（６９）と、
を有することを特徴とする熱交換器コアの仮組装置。
【請求項２】
請求項１記載の熱交換器コアの仮組装置において、
前記搬送手段がウォーム（６１）からなることを特徴とする熱交換器コアの仮組装置。
【請求項３】
請求項２記載の熱交換器コアの仮組装置において、
前記計数手段がウォーム（６１）の回転数を検出する回転計（６３）からなることを特徴とする熱交換器コアの仮組装置。
【発明の詳細な説明】
【０００１】
【発明の属する技術分野】
本発明は、チューブとコルゲートフィンとを交互に配置して熱交換器コアを仮組するための熱交換器コアの仮組装置に関する。
【０００２】
【従来の技術】
従来、チューブとコルゲートフィンとを交互に配置して熱交換器コアを仮組する熱交換器コアの仮組装置として、例えば、特開平３−１６６０２３号公報に開示されるものが知られている。
図３は、この公報に開示される熱交換器コアの仮組装置を示すもので、この熱交換器コアの仮組装置では、所定間隔を置いて平行に一対の送り軸１１，１３が対向配置されている。
【０００３】
一対の送り軸１１，１３には、チューブ１５の端部を案内するチューブ案内溝１１ａ，１３ａが螺旋状に形成され、また、チューブ案内溝１１ａ，１１ａおよび１３ａ，１３ａの間にコルゲートフィン１７の端部を案内するフィン案内部１１ｂ，１３ｂが螺旋状に形成されている。
なお、一対の送り軸１１，１３は、チューブ案内溝１１ａ，１３ａとフィン案内部１１ｂ，１３ｂの螺旋方向が反対に形成され、逆方向に回転される。
【０００４】
また、材料供給部１９から仮組部２１に向けて、螺旋のピッチが小さくされている。
上述した熱交換器コアの仮組装置では、材料供給部１９の棒状部材供給部１９Ａにおいて、チューブ案内溝１１ａ，１３ａの間にチューブ１５が供給され、また、フィン供給部１９Ｂにおいて、フィン案内部１１ｂ，１３ｂの間にコルゲートフィン１７が供給される。
【０００５】
そして、チューブ１５とコルゲートフィン１７は、送り軸１１，１３の回転によりチューブ案内溝１１ａ，１３ａとフィン案内部１１ｂ，１３ｂを移動され、間隔を狭められ、仮組部２１においてチューブ１５とコルゲートフィン１７が当接され熱交換器コア２３の仮組が行われる。
なお、通常、所定の本数のチューブ１５の供給後に、棒状部材供給部１９Ａにおいてチューブ１５の替わりにレインフォース２５が供給され、両端にレインフォース２５が配置された熱交換器コア２３が仮組される。
【０００６】
図４は、上述した熱交換器コアの仮組装置において、フィン供給部１９Ｂにコルゲートフィン１７を供給するフィン供給手段の一例を示している。
このフィン供給手段では、コンベア２７により搬送されて来た、所定長さに切断されたコルゲートフィン１７が、フィンプッシャー１９によりコンベア２７から側方に向けて押し出される。
【０００７】
押し出されたコルゲートフィン１７は、傾斜案内板２９側に落下し、フィンストッカー３１の開閉により、傾斜案内板２９に沿って順次落下し、ゲート機構３３の開時に、フィン挿入機構３５により、チューブ１５の間に押し込まれる。
【０００８】
【発明が解決しようとする課題】
しかしながら、このような従来のフィン供給手段では、コルゲートフィン１７をチューブ１５の間に供給するまでに、多数の工程が存在するため、装置が複雑になり、故障発生率およびコストが高くなるという問題があった。
【０００９】
また、一つの工程に不具合が生じるとコルゲートフィン１７の供給が困難になるため、仮組装置を一時停止し、修理を行う必要があり、修理の間は製造を中止する必要があるという問題があった。
本発明は、かかる従来の問題を解決するためになされたもので、簡易な機構によりコルゲートフィンをチューブの間に確実に供給することができる熱交換器コアの仮組装置を提供することを目的とする。
【００１０】
【課題を解決するための手段】
請求項１の熱交換器コアの仮組装置は、水平面内において所定間隔を置いて平行に対向配置される一対の送り軸に、チューブの端部を案内するチューブ案内溝を螺旋状に形成するとともに、前記チューブ案内溝の間にコルゲートフィンの端部を案内するフィン案内部を螺旋状に形成してなる熱交換器コアの仮組装置において、連続した状態で供給されるコルゲートフィンを前記一方の送り軸の側方上方からフィン供給部の入口側に案内する案内手段と、前記コルゲートフィンを前記一対の送り軸の間に搬送する搬送手段と、前記搬送手段により搬送されるコルゲートフィンのピッチ数を計数する計数手段と、前記フィン供給部の入口側において前記フィン供給部に連続した状態で供給された前記コルゲートフィンを切断する切断手段と、前記計数手段で計数されるピッチ数を入力し、ピッチ数が予め定められた値になった時に前記切断手段を作動する制御装置とを有することを特徴とする。
【００１１】
請求項２の熱交換器コアの仮組装置は、請求項１において、前記搬送手段がウォームからなることを特徴とする。
請求項３の熱交換器コアの仮組装置は、請求項２において、前記計数手段がウォームの回転数を検出する回転計からなることを特徴とする。
【００１２】
【作用】
請求項１の熱交換器コアの仮組装置では、案内手段により、連続した状態で供給されるコルゲートフィンが、一方の送り軸の側方上方からフィン供給部の入口側に案内される。
【００１３】
フィン供給部に案内されたコルゲートフィンは、搬送手段により一対の送り軸の間に搬送される。
この搬送手段により搬送されるコルゲートフィンのピッチ数は、計数手段により常時計数されている。
この計数手段により計数されたピッチ数は、制御手段に常時出力されており、制御手段により、ピッチ数が予め定められた値になった時に切断手段が作動され、連続するコルゲートフィンが切断され、一対の送り軸の間に所定長さのコルゲートフィンが位置される。
【００１４】
請求項２の熱交換器コアの仮組装置では、搬送手段がウォームからなり、ウォームの回転により、ウォームに歯合するコルゲートフィンが搬送される。
請求項３の熱交換器コアの仮組装置では、回転計によりウォームの回転数を検出することにより、搬送されるコルゲートフィンのピッチ数が計数される。
【００１５】
【発明の実施の形態】
以下、本発明の詳細を図面に示す実施形態について説明する。
図１は、本発明の熱交換器コアの仮組装置の一実施形態を示しており、図において符号４１，４３は、一対の送り軸を示している。
この一対の送り軸４１，４３は、同一水平面内に所定間隔を置いて平行に対向配置されている。
【００１６】
一対の送り軸４１，４３には、チューブ４５の端部を案内するチューブ案内溝４１ａ，４３ａが螺旋状に形成されている。
また、一対の送り軸４１，４３のチューブ案内溝４１ａ，４１ａおよび４３ａ，４３ａの間に、コルゲートフィン４７の端部を案内するフィン案内部４１ｂ，４３ｂが螺旋状に形成されている。
【００１７】
なお、一対の送り軸４１，４３は、チューブ案内溝４１ａ，４３ａとフィン案内部４１ｂ，４３ｂの螺旋方向が反対に形成され、右螺子と左螺子との関係を有しており逆方向に回転される。
一対の送り軸４１，４３の上流側には、チューブ４５またはレインフォース４９が供給されるチューブ供給部５１が形成されている。
【００１８】
また、チューブ供給部５１の下流側には、コルゲートフィン４７が供給されるフィン供給部５３が形成されている。
そして、この実施形態では、フィン供給部５３に位置する一方の送り軸４３の側方には、連続して供給されるコルゲートフィン４７をフィン供給部５３に案内する案内シュート５５が配置されている。
【００１９】
この案内シュート５５は、図２に示すように、一対の送り軸４１，４３の間に水平に配置されるセット板５７に対して、例えば、θ＝１４度〜４５度の角度で傾斜して配置されている。
【００２０】
案内シュート５５の先端は、一方の送り軸４３の上方近傍に位置されている。この案内シュート５５には、コルゲートフィン成形機により連続して成形されたコルゲートフィン４７が、フィンストック部５９を介して連続して供給される。
案内シュート５５の先端には、搬送手段であるウォーム６１が配置されている。
ウォーム６１には、コルゲートフィン４７が歯合され、ウォーム６１の回転により、コルゲートフィン４７が一対の送り軸４１，４３の間に搬送される。
【００２１】
また、ウォーム６１の回転数が、計数手段である回転計６３により計測されており、回転計６３により、搬送されるコルゲートフィン４７のピッチ数が計数される。
案内シュート５５のウォーム６１の先方には、一方の送り軸４３の上方に、コルゲートフィン４７を挟んで一対の切断刃６５，６７が配置されている。
【００２２】
図１において符号６９は、制御装置を示しており、この制御装置６９は、回転計６３で計数されるピッチ数を入力し、ピッチ数が予め定められた値になった時に切断刃６５を作動し、コルゲートフィン４７を切断する。
上述した熱交換器コアの仮組装置では、コルゲートフィン４７のフィン供給部５３への供給は、以下述べるようにして行われる。
【００２３】
先ず、フィンストック部５９を介して連続して供給されるコルゲートフィン４７が、案内シュート５５により、一方の送り軸４３の側方からフィン供給部５３の入口側に案内される。
入口側に案内されたコルゲートフィン４７は、ウォーム６１により一対の送り軸４１，４３の間に搬送される。
【００２４】
このウォーム６１により搬送されるコルゲートフィン４７のピッチ数は、回転計６３により常時計数されており、この回転計６３により計数されたピッチ数は、制御装置６９に常時出力されている。
【００２５】
そして、制御装置６９により、ピッチ数が予め定められた値になった時に、切断刃６５が作動され、連続するコルゲートフィン４７が切断され、一対の送り軸４１，４３の間に所定長さのコルゲートフィン４７が位置され、フィン供給部５３への供給が終了する。
このようにして、フィン供給部５３に供給されたコルゲートフィン４７は、チューブ４５とともに、送り軸４１，４３の回転によりチューブ案内溝４１ａ，４３ａとフィン案内部４１ｂ，４３ｂを移動され、図３に示した従来の熱交換器コアの仮組装置と同様にして間隔を狭められ、仮組部においてチューブ４５とコルゲートフィン４７が当接され熱交換器コアの仮組が行われる。
【００２６】
なお、この実施形態においても、図３に示した従来の熱交換器コアの仮組装置と同様に、通常、所定の本数のチューブ４５の供給後に、チューブ供給部５１においてチューブ４５の替わりにレインフォース４９が供給され、両端にレインフォース４９が配置された熱交換器コアが仮組される。
以上のように構成された熱交換器コアの仮組装置では、連続して供給されるコルゲートフィン４７を、一方の送り軸４３の側方からフィン供給部５３に案内し、一対の送り軸４１，４３の間に所定長さのコルゲートフィン４７が位置したところでコルゲートフィン４７を切断するようにしたので、非常に簡易な機構によりコルゲートフィン４７をチューブ４５の間に確実に供給することができる。
【００２７】
すなわち、従来のフィン供給手段では、所定長さに予め切断されたコルゲートフィンを、傾斜案内板に沿って落下させていたため、コルゲートフィンをチューブの間に供給するまでに、多数の工程が必要になり、装置が複雑になり、故障発生率およびコストが高くなっていたが、上述した装置では、コルゲートフィン４７を連続した状態でチューブ４５の間に供給した後切断するようにしたので、非常に簡易な機構によりコルゲートフィン４７をチューブ４５の間に確実に供給することができる。
【００２８】
また、上述した熱交換器コアの仮組装置では、ウォーム６１の回転により、ウォーム６１に歯合するコルゲートフィン４７を搬送するようにしたので、搬送手段を非常に簡易な構造にすることができ、また、コルゲートフィン４７を確実に搬送することができる。
さらに、上述した熱交換器コアの仮組装置では、計数手段をウォーム６１の回転数を検出する回転計６３により構成したので、コルゲートフィン４７のピッチ数を容易，確実に計数することができる。
【００２９】
なお、上述した実施形態では、コルゲートフィン４７の一側にのみウォーム６１を配置した例について説明したが、本発明はかかる実施形態に限定されるものではなく、コルゲートフィンの両側にウォームを配置することによりコルゲートフィンをより確実に搬送することができる。
【００３０】
【発明の効果】
以上述べたように、請求項１の熱交換器コアの仮組装置では、連続した状態で供給されるコルゲートフィンを、一方の送り軸の側方上方からフィン供給部に案内し、一対の送り軸の間に所定長さのコルゲートフィンが位置したところでコルゲートフィンを切断するようにしたので、非常に簡易な機構によりコルゲートフィンをチューブの間に確実に供給することができる。
【００３１】
請求項２の熱交換器コアの仮組装置では、ウォームの回転により、ウォームに歯合するコルゲートフィンを搬送するようにしたので、搬送手段を非常に簡易な構造にすることができ、また、コルゲートフィンを確実に搬送することができる。
請求項３の熱交換器コアの仮組装置では、計数手段をウォームの回転数を検出する回転計により構成したので、コルゲートフィンのピッチ数を容易，確実に計数することができる。
【図面の簡単な説明】
【図１】本発明の熱交換器コアの仮組装置の第１の実施形態を示す上面図である。
【図２】図１のフィン供給部を示す横断面図である。
【図３】従来の熱交換器コアの仮組装置を示す断面図である。
【図４】従来の熱交換器コアの仮組装置におけるフィン供給手段の一例を示す説明図である。
【符号の説明】
４１，４３  送り軸
４１ａ，４３ａ  チューブ案内溝
４１ｂ，４３ｂ  フィン案内部
４５  チューブ
４７  コルゲートフィン
５３  フィン供給部
５５  案内シュート
６１  ウォーム
６３  回転計
６５，６７  切断刃
６９  制御装置
【図１】
0003659362.tif 000002
【図２】
0003659362.tif 000003
【図３】
0003659362.tif 000004
【図４】
0003659362.tif 000005